(57)【要約】      （修正有）【課題】戸パネル及び透光壁パネルの下方側の見栄えの向上が可能であり、施工性を向上し得る戸装置及びこれを用いた戸装置の施工方法を提供する。【解決手段】戸装置１は、上枠１２及び一対の縦枠を有した三方枠と、透光板２６の四周を囲むフレームの下部フレーム２２が床２に当接されて設置される透光壁パネル２０と、第１側部フレームに沿うように設置される中間縦枠と、中間縦枠の反透光壁パネル側に建て付けられる戸パネルと、を備えており、透光壁パネル２０の上部フレーム２１には、上枠に設けられた凹部１２ａに嵌め入れられる突部２１ｂが設けられ、透光壁パネル２０の第１側部フレームには、中間縦枠の凹部に嵌め入れられる突部が設けられ、透光壁パネル２０のパネル幅方向他方側の第２側部フレームには、縦枠に設けられた凹部に嵌め入れられる突部が設けられている。【選択図】図１
2018123509.tif 000002
【特許請求の範囲】
【請求項１】
上枠及びこの上枠の両端に接合される一対の縦枠を有した三方枠と、透光板の四周を囲むように固定されたフレームの下部フレームが床に当接されて設置される透光壁パネルと、該透光壁パネルのパネル幅方向一方側の第１側部フレームに沿うように設置される中間縦枠と、該中間縦枠の反透光壁パネル側の前記上枠と前記床との間に建て付けられる戸パネルと、を備えており、
前記透光壁パネルの上部フレームには、前記上枠の下面側に設けられた凹部に嵌め入れられる突部が設けられ、該透光壁パネルの第１側部フレームには、前記中間縦枠の透光壁パネル側に設けられた凹部に嵌め入れられる突部が設けられ、該透光壁パネルのパネル幅方向他方側の第２側部フレームには、前記三方枠の一方の縦枠に設けられた凹部に嵌め入れられる突部が設けられていることを特徴とする戸装置。
【請求項２】
請求項１において、
前記透光壁パネルの上部フレームは、当該透光壁パネルのパネル幅方向の略全体に亘って設けられ、かつ前記突部を全長に亘って延びるように設けた構成とされていることを特徴とする戸装置。
【請求項３】
請求項１または２において、
前記透光壁パネルの下部フレームには、床に止着される止具の止着部と、該止着部に止着された止具の頭部を収容する頭部収容凹所と、該頭部収容凹所の開口を覆うカバーと、が設けられていることを特徴とする戸装置。
【請求項４】
請求項１乃至３のいずれか１項に記載の戸装置を用いた戸装置の施工方法であって、
前記三方枠を開口部に設置する工程と、前記透光壁パネルの上部フレームの突部を前記上枠の凹部に嵌め入れ、該透光壁パネルの下部フレームを床に当接させ、該透光壁パネルの第２側部フレームの突部を前記一方の縦枠の凹部に嵌め入れ、該透光壁パネルを設置する工程と、前記透光壁パネルの第１側部フレームの突部を前記中間縦枠の凹部に嵌め入れ、該中間縦枠を設置する工程と、前記中間縦枠の反透光壁パネル側の前記上枠と前記床との間に前記戸パネルを建て付ける工程と、を備えていることを特徴とする戸装置の施工方法。
【発明の詳細な説明】
【技術分野】
【０００１】
本発明は、開口を開閉する戸パネルを備えた戸装置及びこれを用いた戸装置の施工方法に関する。
【背景技術】
【０００２】
従来より、住居等の建物の開口を開閉する開き戸や引戸、折戸等の戸パネルを備えた戸装置が知られている。このような戸パネルに採光のためや空間演出性の観点等から透光部や採光窓を設けたものがあるが、閉鎖位置の戸パネルの周囲に透光性を付与したい場合もある。
例えば、下記特許文献１には、開口部にはめ込まれて固着される枠体に、はめ殺し障子と開き障子とを取り付ける構造が開示されている。この取り付け構造は、枠体の上枠のはめ込み凹部に、はめ殺し障子の上部のはめ込み部をはめ込み、はめ殺し障子の下部を、下枠の立ち上がり片に設けられたナット部にねじ具を螺合させて取り付けた構成とされている。
【先行技術文献】
【特許文献】
【０００３】
【特許文献１】実開平２−１３４２８８号公報
【発明の概要】
【発明が解決しようとする課題】
【０００４】
しかしながら、上記構成とされた取り付け構造では、はめ殺し障子及び開き障子の下方側に下枠が設けられ、また、この下枠が出入口となる開口の下側を区画することとなるため、更なる改善が望まれる。
【０００５】
本発明は、上記実情に鑑みてなされたものであり、施工された戸パネル及び透光壁パネルの下方側の見栄えの向上が可能でありながらも、施工性を向上し得る戸装置及びこれを用いた戸装置の施工方法を提供することを目的としている。
【課題を解決するための手段】
【０００６】
上記目的を達成するために、本発明に係る戸装置は、上枠及びこの上枠の両端に接合される一対の縦枠を有した三方枠と、透光板の四周を囲むように固定されたフレームの下部フレームが床に当接されて設置される透光壁パネルと、該透光壁パネルのパネル幅方向一方側の第１側部フレームに沿うように設置される中間縦枠と、該中間縦枠の反透光壁パネル側の前記上枠と前記床との間に建て付けられる戸パネルと、を備えており、前記透光壁パネルの上部フレームには、前記上枠の下面側に設けられた凹部に嵌め入れられる突部が設けられ、該透光壁パネルの第１側部フレームには、前記中間縦枠の透光壁パネル側に設けられた凹部に嵌め入れられる突部が設けられ、該透光壁パネルのパネル幅方向他方側の第２側部フレームには、前記三方枠の一方の縦枠に設けられた凹部に嵌め入れられる突部が設けられていることを特徴とする。
【０００７】
また、上記目的を達成するために、本発明に係る戸装置の施工方法は、本発明に係る戸装置を用いた戸装置の施工方法であって、前記三方枠を開口部に設置する工程と、前記透光壁パネルの上部フレームの突部を前記上枠の凹部に嵌め入れ、該透光壁パネルの下部フレームを床に当接させ、該透光壁パネルの第２側部フレームの突部を前記一方の縦枠の凹部に嵌め入れ、該透光壁パネルを設置する工程と、前記透光壁パネルの第１側部フレームの突部を前記中間縦枠の凹部に嵌め入れ、該中間縦枠を設置する工程と、前記中間縦枠の反透光壁パネル側の前記上枠と前記床との間に前記戸パネルを建て付ける工程と、を備えていることを特徴とする。
【発明の効果】
【０００８】
本発明に係る戸装置は、上述のような構成としたことで、また、本発明に係る戸装置の施工方法によれば、施工された戸パネル及び透光壁パネルの下方側の見栄えの向上が可能でありながらも、施工性を向上させることができる。
【図面の簡単な説明】
【０００９】
【図１】本発明の一実施形態に係る戸装置の一例を模式的に示し、図２（ａ）におけるＸ−Ｘ線矢視に対応させた一部破断概略縦断面図である。
【図２】（ａ）は、同戸装置を設置した状態を模式的に示す一部破断概略正面図、（ｂ）は、（ａ）におけるＹ−Ｙ線矢視に対応させた一部破断概略横断面図である。
【図３】同戸装置の一部を省略した一部破断概略分解斜視図である。
【図４】（ａ）、（ｂ）は、本発明の一実施形態に係る戸装置の施工方法の一例を模式的に示し、（ａ）は、一部破断概略正面図、（ｂ）は、一部破断概略縦断面図である。
【図５】（ａ）、（ｂ）は、同施工方法をそれぞれ模式的に示す一部破断概略正面図である。
【図６】（ａ）、（ｂ）は、同施工方法をそれぞれ模式的に示す一部破断概略斜視図である。
【発明を実施するための形態】
【００１０】
以下に本発明の実施の形態について、図面に基づいて説明する。
なお、一部の図では、他図に付している詳細な符号の一部を省略している。
また、以下の実施形態では、本実施形態に係る戸装置を設置した状態を基準として上下方向等の方向を説明する。
図１〜図６は、本実施形態に係る戸装置の一例及びこれを用いた戸装置の施工方法の一例を模式的に示す図である。
【００１１】
本実施形態に係る戸装置１は、図１〜図３に示すように、上枠１２及びこの上枠１２の両端に接合される一対の縦枠１３，１４を有した三方枠１１を備えている。また、戸装置１は、透光壁パネル２０と、この透光壁パネル２０のパネル幅方向（戸幅方向）一方側に沿うように設置される中間縦枠１５と、を備えている。この中間縦枠１５は、一対の縦枠のうちの一方（戸幅方向他方側）の縦枠としての第１縦枠１３と他方（戸幅方向一方側）の縦枠としての第２縦枠１４との間に配され、三方枠１１とによって戸枠１０を構成する。また、戸装置１は、この中間縦枠１５の反透光壁パネル側の上枠１２と床２との間に建て付けられる戸パネル２８を備えている。透光壁パネル２０は、閉鎖位置の戸パネル２８の戸幅方向他方側に配される。
【００１２】
この戸装置１は、図１及び図２（ａ）、（ｂ）に示すように、住居等の建物の間仕切壁等の壁体３を貫通するように設けられる開口部４に設置される。開口部４は、下側が床２によって区画され、上側が上枠１２の枠下地によって区画され、開口幅方向両側が両側の縦枠（第１縦枠１３及び第２縦枠１４）１３，１４の枠下地によって区画されている。
戸パネル２８は、図３に示すように、一方向（上下方向）に長尺な略矩形平板状とされている。この戸パネル２８は、図２（ｂ）に示すように、出入口８を開閉する構成とされている。出入口８は、下側が床２によって区画され、上側が上枠１２（本実施形態では、後記するように上枠１２の下面に貼着された化粧シート７）によって区画され、開口幅方向両側が第２縦枠１４及び中間縦枠１５によって区画されている。本実施形態では、この出入口８の開口高を、床２から天井までの高さとしている。つまり、出入口８の下方側に向く天面と天井面とが面一状とされている。
【００１３】
また、本実施形態では、この出入口８を開閉する戸パネル２８の戸高寸法（長さ寸法）を、天井高に応じた寸法としている。この戸パネル２８の戸高寸法は、上端部及び下端部が天井及び床２に干渉しないように、天井高よりも僅かに小さい寸法としてもよい。この戸パネル２８の戸高寸法は、開口高（天井高）に応じて、２４００ｍｍ〜３０００ｍｍ程度としてもよい。なお、開口高が天井高よりも低く、出入口８の上側に垂れ壁状の壁部等が設けられる場合には、標準的な戸高寸法、例えば、１８００ｍｍ〜２１００ｍｍ程度としてもよい。
また、戸パネル２８の戸幅寸法は、出入口８の開口幅に応じた寸法であればよく、６００ｍｍ〜１２００ｍｍ程度でもよい。また、戸パネル２８の戸厚寸法は、２０ｍｍ〜４０ｍｍ程度でもよい。
【００１４】
また、本実施形態では、戸パネル２８を、戸幅方向一端部の吊元側端部が出入口８の吊元側に上下方向に沿う軸回りに回転自在に支持される開き戸とした構成としている。本実施形態では、戸パネル２８の吊元側端部を、第２縦枠１４に固定された回転連結部材１９によって支持させた構成としている。また、戸パネル２８の上端部及び下端部のそれぞれに回転連結部材１９，１９を固定した構成としている。また、回転連結部材１９，１９を、戸パネル２８の吊元側端部の上端部及び下端部に切欠状に設けられた凹所に収容される構成としている。このような回転連結部材１９，１９としては、第２縦枠１４に固定される枠側蝶番と、この枠側蝶番に対して上下方向に沿う軸回りに回転自在に保持され、戸パネル２８の吊元側端部に固定される戸側蝶番と、を備えた構成とされたものでもよい。
なお、回転連結部材１９，１９は、図例のような戸パネル２８の上下端部の凹所に収容される構成とされたものに限られない。このような回転連結部材１９，１９としては、例えば、第２縦枠１４及び戸パネル２８の吊元側端部の上下方向途中部位に埋込状に設けられる隠し蝶番や、二枚の取付羽根を備えた羽根蝶番等でもよい。
【００１５】
また、戸パネル２８の戸先側端部には、中間縦枠１５に設けられた不図示のラッチ受に（ストライク）に挿入されるラッチ部を有したラッチ錠装置が組み込まれている。このようなラッチ錠装置としては、戸パネル２８の戸先側端部に埋込状に設けられ、戸幅方向に出没自在とされたラッチボルトのラッチ頭部からなるラッチ部を有した構成とされたものでもよい。また、戸パネル２８の戸先側端部の戸厚方向両側には、このラッチ錠装置に連結されてラッチ部を出没させるハンドル２９が設けられる。このようなハンドル２９としては、図例のようなレバー状のものに限られず、握玉状のものや、いわゆるプッシュプルハンドル等でもよい。また、ラッチ錠装置としては、公知のものの採用が可能であり、ラッチ部の没入を阻止するロック機構を有したものやデッドボルトを出没させるサムターンを備えたものでもよい。
【００１６】
また、戸パネル２８は、枠状芯材に表面材を貼着した構成とされたいわゆるフラッシュパネルでもよい。また、戸パネル２８は、枠状芯材の中空部に、ハニカムコア（ペーパーコア）などのコア材が収納された構成とされたものでもよい。
また、図例では、戸パネル２８を、その戸厚方向両面が全面に亘って平坦面状とされたものとしているが、このような態様に限られない。例えば、戸パネル２８を、両側の縦框間に透光板や鏡板状板材を設けたいわゆる二方框状パネルとしたり、さらに上下の横框を設けた四方框状パネルとしたり、透光部（透光窓）やガラリ等が設けられたものとしてもよく、その他、種々の変形が可能である。
【００１７】
透光壁パネル２０は、図１〜図３に示すように、透光板２６と、この透光板２６の四周を囲むように固定されたフレーム２１，２２，２４，２５と、を備えており、一方向（上下方向）に長尺な略矩形平板状とされている。この透光壁パネル２０は、上部フレーム２１が上枠１２に当接され、下部フレーム２２が床２に当接されて設置される。また、この透光壁パネル２０のパネル幅方向一方側の第１側部フレーム２４に沿うように、後記する中間縦枠１５が設置される。また、この透光壁パネル２０は、パネル幅方向他方側の第２側部フレーム２５が第１縦枠１３に当接されて設置される。
【００１８】
この透光壁パネル２０のパネル高さ寸法は、床２から上枠１２までの上下寸法に応じた寸法とされている。
また、透光壁パネル２０のパネル幅寸法は、当該戸装置１が設置される開口部４の開口幅や戸パネル２８の戸幅寸法に応じて適宜の寸法としてもよい。図例では、この透光壁パネル２０のパネル幅寸法を、戸パネル２８の戸幅寸法よりも小としているが、戸幅寸法よりも大としたり、戸幅寸法と略同寸法としたりしてもよい。
透光板２６は、アクリルやポリカーボネート等の合成樹脂系材料や、ガラス等の透光性材料から形成されている。例えば、この透光板２６を、二枚のガラス板を厚さ方向に接合した合わせガラスとしてもよい。
【００１９】
また、この透光板２６は、略無色透明とされたものに限られず、有色透明とされたものや半透明とされたものでもよい。この透光板２６としては、例えば、透明材料に着色剤が添加されて有色透明とされたものや、樹脂フィルム等が積層されて有色透明とされたものでもよい。また、この透光板２６としては、スモークガラス状やすりガラス状とされたものでもよく、また、二枚の透明（透光）パネル間に、和紙等のシート材を介在させた構成とされたものでもよく、その他、種々の構成とされたものでもよい。
また、この透光板２６は、全体に亘って略一様な厚さとされている。また、この透光板２６の厚さ寸法は、図例では、戸パネル２８の戸厚寸法よりも小とされている。この透光板２６の厚さ寸法は、強度上の観点等から適宜の厚さとしてもよく、例えば、３ｍｍ〜１５ｍｍ程度としてもよい。
【００２０】
四周のフレーム２１，２２，２４，２５は、上方側に配される上部フレーム２１と下方側に配される下部フレーム２２とパネル幅方向一方側の第１側部フレーム２４とパネル幅方向他方側の第２側部フレーム２５とからなる。これら四周のフレーム２１，２２，２４，２５には、透光板２６の四周端部を受け入れる受入溝２１ａ，２２ａ，２４ａ，２５ａが設けられている。また、これら受入溝２１ａ，２２ａ，２４ａ，２５ａには、透光板２６の四周端部を保持するガスケット（グレイジングガスケット）２７，２７，２７，２７が嵌め込まれている。このようなガスケット２７としては、断面略Ｃ字状とされたいわゆるグレイジングチャンネルやパネル厚さ方向に分離されたグレイジングビードでもよい。
【００２１】
上部フレーム２１は、パネル幅方向に長尺状とされ、長手方向に見て概ね方形状とされている（図１参照）。また、上部フレーム２１は、本実施形態では、当該透光壁パネル２０のパネル幅方向の略全体に亘って設けられている。つまり、上部フレーム２１の長手方向両端部の下面側に、パネル幅方向両側の第１側部フレーム２４及び第２側部フレーム２５の上端部が接合されている。換言すれば、上部フレーム２１と第１側部フレーム２４及び第２側部フレーム２５とは、いわゆる横勝ち状に接合されている。この上部フレーム２１の長さ寸法は、後記する第１側部フレーム２４の突部２４ｂを除いた部位のパネル幅方向外側に向く面から第２側部フレーム２５の突部２５ｂを除いた部位のパネル幅方向外側に向く面までのパネル幅方向に沿う寸法に応じた寸法とされている。また、この上部フレーム２１のパネル厚さ方向に沿う寸法及び上下方向に沿う寸法は、見栄え上や強度上の観点や、透光板２６を安定的に保持する観点、当該透光壁パネル２０の固定性等の観点等から適宜の寸法としてもよい。本実施形態では、図１に示すように、この上部フレーム２１の上下方向に沿う寸法を、パネル厚さ方向に沿う寸法よりも小としている。この上部フレーム２１の上下方向に沿う寸法（後記する突部２１ｂを除いた部位の上下方向に沿う寸法）は、例えば、１０ｍｍ〜３０ｍｍ程度としてもよい。また、この上部フレーム２１のパネル厚さ方向に沿う寸法は、例えば、２０ｍｍ〜５０ｍｍ程度としてもよい。
【００２２】
また、上部フレーム２１の受入溝２１ａは、上部フレーム２１の下面側に下方側に向けて開口するように設けられている。この受入溝２１ａは、上部フレーム２１の全長に亘って設けられている。また、受入溝２１ａは、上部フレーム２１のパネル厚さ方向略中央部に設けられている。また、受入溝２１ａは、略平坦面状とされた上部フレーム２１の下面側において開口するように設けられている。また、図例では、この受入溝２１ａの溝幅方向両側を区画する両側の溝壁面の開口側部位に、互いに対向する方向に向けて突出し、ガスケット２７の抜け止めとなる抜止片部を設けた例を示している。
また、上部フレーム２１の受入溝２１ａのパネル厚さ方向両側には、全長に亘って貫通するように中空部が設けられている。換言すれば、上部フレーム２１の受入溝２１ａのパネル厚さ方向両側部位を、中空筒状としている。なお、上部フレーム２１の受入溝２１ａのパネル厚さ方向両側部位をこのような中空筒状とした態様に代えて、中実状としてもよい。
【００２３】
また、この上部フレーム２１には、上枠１２の下面側に設けられた凹部１２ａに嵌め入れられる突部２１ｂが設けられている。本実施形態では、上部フレーム２１に、突部２１ｂを全長に亘って延びるように設けた構成としている。
この突部２１ｂは、上部フレーム２１の上面から上方側に向けて突出するように設けられている。この突部２１ｂの上下方向に沿う突出寸法及びパネル厚さ方向に沿う幅寸法は、上枠１２の凹部１２ａに嵌入可能なように適宜の寸法とすればよい。また、突部２１ｂは、上部フレーム２１の上面側のパネル厚さ方向略中央部に設けられている。また、突部２１ｂは、幅寸法が突出方向先端側となる上方側に向かうに従い小さくなるように長手方向に見て先細り状に形成されている。
【００２４】
また、図例では、上部フレーム２１の上面側にパネル厚さ方向に間隔を空けて設けられた一対の突片部によって突部２１ｂを構成した例を示している。つまり、これら一対の突片部のそれぞれが突部２１ｂの幅方向両側を構成する。また、図例では、これら一対の突片部の先端部に、パネル厚さ方向に沿う方向となる互いに対向する方向に向けて突出する小片部を設けた例を示している。なお、上部フレーム２１の突部２１ｂとしては、パネル厚さ方向に離間した一対の突片部からなるものに限られず、これらの小片部同士を一連状に接続したような中空筒状等とされたものでもよく、または、中実状とされたものでもよい。上記した透光壁パネル２０のパネル高さ寸法は、床２から上枠１２までの上下寸法に上枠１２の凹部１２ａに嵌め入れられる上部フレーム２１の突部２１ｂの上下方向に沿う寸法を加えた寸法とされている。図例では、上部フレーム２１の突部２１ｂを上枠１２の凹部１２ａに嵌め入れた状態で、上部フレーム２１のパネル厚さ方向両側部位（突部２１ｂが設けられていない部位）の上面と上枠１２の下面（化粧シート７の下面）との間に隙間が形成される構成としている。この隙間は、後記するように透光壁パネル２０を斜め状にして上部フレーム２１の突部２１ｂを上枠１２の凹部１２ａに嵌め入れて設置する際に、下部フレーム２２によって床２に凹み等が形成され難いように適宜の寸法としてもよい。
【００２５】
下部フレーム２２は、パネル幅方向に長尺状とされ、長手方向に見て概ね方形状とされている（図１参照）。透光壁パネル２０は、この下部フレーム２２の下面が床２に当接されて設置される。この下部フレーム２２の床２に当接される少なくともパネル厚さ方向両側部位の下面は、互いに略同一平面状でかつ平坦面状とされている。図例では、下部フレーム２２の下面のパネル厚さ方向略中央部に、下方側に向けて開口する溝部を設けた例を示しているが、このような溝部を設けていない構成としてもよい。
また、下部フレーム２２は、上部フレーム２１と同様、本実施形態では、当該透光壁パネル２０のパネル幅方向の略全体に亘って設けられている。つまり、下部フレーム２２の長手方向両端部の上面側に、パネル幅方向両側の第１側部フレーム２４及び第２側部フレーム２５の下端部が接合されている。換言すれば、下部フレーム２２と第１側部フレーム２４及び第２側部フレーム２５とは、いわゆる横勝ち状に接合されている。
また、この下部フレーム２２のパネル厚さ方向に沿う寸法は、上部フレーム２１のパネル厚さ方向に沿う寸法と略同寸法とされている。また、この下部フレーム２２の上下方向に沿う寸法は、上部フレーム２１の突部２１ｂを除いた部位の上下方向に沿う寸法と略同寸法とされている。
【００２６】
また、下部フレーム２２の受入溝２２ａは、下部フレーム２２の上面側に上方側に向けて開口するように設けられている。この受入溝２２ａは、上記同様、下部フレーム２２の全長に亘って設けられ、下部フレーム２２のパネル厚さ方向略中央部に設けられている。また、上記同様、この受入溝２２ａは、略平坦面状とされた下部フレーム２２の上面側において開口するように設けられている。また、この受入溝２２ａの両側の溝壁面の開口側部位には、上記同様、互いに対向する方向に向けて突出する抜止片部が設けられている。
また、本実施形態では、この下部フレーム２２に、床２に止着される止具９の止着部２２ｂと、この止着部２２ｂに止着された止具９の頭部を収容する頭部収容凹所２２ｃと、を設けた構成としている。また、下部フレーム２２に、頭部収容凹所２２ｃの開口（凹所開口）２２ｄを覆うカバー２３を設けた構成としている。
【００２７】
止着部２２ｂは、下部フレーム２２の受入溝２２ａのパネル厚さ方向一方側に設けられている。この止着部２２ｂは、中空状とされた下部フレーム２２のパネル厚さ方向一方側部位の下面を構成する下側片部に設けられている。また、図例では、止着部２２ｂを、床２に止着される（捩じ込まれる）ねじ等の止具９が挿通される挿通孔としている。なお、止着部２２ｂとしては、予め設けられた挿通孔に限られず、下側片部自体を止着部として把握するようにしてもよい。この場合は、止着部２２ｂとなる下側片部の上面側に、下孔加工や止着時の目印となる目印溝を設けた構成等としてもよい。
また、下部フレーム２２は、この止着部２２ｂに、下端側に向かうに従いパネル厚さ方向中心側に向けて傾斜状に止着された止具９によって床２に固定される構成とされている。図例では、この止着部２２ｂが設けられた下側片部の上面を、パネル厚さ方向中央側からパネル幅方向外側に向かうに従い下るように傾斜する傾斜面状とした例を示している。このように傾斜面状とされた下側片部の上面に対して軸方向が略直交方向となるように止具９を止着した例を示している。
【００２８】
また、この止着部２２ｂが設けられた下側片部の上方側の空間が頭部収容凹所２２ｃを構成する。この頭部収容凹所２２ｃは、下部フレーム２２の全長に亘って設けられている。また、図例では、頭部収容凹所２２ｃの凹所開口２２ｄと下側片部との間にパネル厚さ方向に架け渡されるように補強片部を設けた構成としている。この補強片部には、長手方向に間隔を空けて止具９の挿通が可能な挿通部が設けられたものでもよい。なお、このような補強片部を設けていない構成としてもよい。
また、頭部収容凹所２２ｃの凹所開口２２ｄは、上方側に向けて開口するように設けられている。頭部収容凹所２２ｃの凹所開口２２ｄ側部位には、互いに対向する方向に向けて突出し、カバー２３を保持する係合部が設けられている。
また、下部フレーム２２の受入溝２２ａのパネル厚さ方向他方側には、上部フレーム２１と同様、全長に亘って貫通するように中空部が設けられている。なお、下部フレーム２２の受入溝２２ａのパネル厚さ方向他方側部位をこのような中空筒状とした態様に代えて、中実状としてもよい。
【００２９】
カバー２３は、頭部収容凹所２２ｃの凹所開口２２ｄ側部位に嵌め込まれるように頭部収容凹所２２ｃに着脱自在に取り付けられる。このカバー２３は、その上面が下部フレーム２２の上面と略同一平面状となるように取り付けられる。また、このカバー２３のパネル厚さ方向両側の下面側には、下方側に向けて突出する一対の係合突起が設けられている。これら係合突起は、先端が補強片部に当接される構成とされている。また、これら一対の係合突起の先端部には、頭部収容凹所２２ｃの凹所開口２２ｄ側部位に設けられた係合部に引っ掛かるように係止する爪状の係止部が設けられている。なお、頭部収容凹所２２ｃに着脱自在に取り付けられるカバー２３及びカバー２３の係止部が係止される係合部としては、このような構成とされたものに限られず、種々の変形が可能である。
【００３０】
パネル幅方向両側の第１側部フレーム２４及び第２側部フレーム２５は、図２（ａ）、（ｂ）に示すように、上下方向に長尺状とされ、長手方向に見て概ね方形状とされている。本実施形態では、これら両側の第１側部フレーム２４及び第２側部フレーム２５を、互いに同寸同形状、つまり、同一部材としている。
これら両側の第１側部フレーム２４及び第２側部フレーム２５の長さ寸法は、上部フレーム２１の下面から下部フレーム２２の上面までの上下方向に沿う寸法に応じた寸法とされている。また、これら両側の第１側部フレーム２４及び第２側部フレーム２５のパネル厚さ方向に沿う寸法は、上部フレーム２１及び下部フレーム２２のパネル厚さ方向に沿う寸法よりも僅かに小さい寸法とされている。なお、このような態様に代えて、これら両側の第１側部フレーム２４及び第２側部フレーム２５のパネル厚さ方向に沿う寸法を、上部フレーム２１及び下部フレーム２２のパネル厚さ方向に沿う寸法と略同寸法としてもよい。また、これら両側の第１側部フレーム２４及び第２側部フレーム２５の後記する突部２４ｂ，２５ｂを除いた部位のパネル幅方向に沿う寸法は、下部フレーム２２の上下方向に沿う寸法と概ね同寸法とされている。つまり、本実施形態では、設置された透光壁パネル２０をパネル厚さ方向に見た際に見える部位の各フレーム２１，２２，２４，２５の見付寸法を比較的に小さい寸法としている。
【００３１】
また、これら両側の第１側部フレーム２４及び第２側部フレーム２５の受入溝２４ａ，２５ａは、パネル幅方向中央側となる互いに向き合う対向側において互いに対向する方向に向けて開口するように設けられている。これら受入溝２４ａ，２５ａは、上記同様、第１側部フレーム２４及び第２側部フレーム２５のそれぞれに全長に亘って設けられている。また、これら受入溝２４ａ，２５ａは、第１側部フレーム２４及び第２側部フレーム２５のパネル厚さ方向略中央部に設けられている。また、第１側部フレーム２４及び第２側部フレーム２５の対向側部位には、これら受入溝２４ａ，２５ａの両側の溝壁面の開口側部位を構成する一対の突片部が互いに対向する方向に向けて突出するように設けられている。なお、このような態様に代えて、上記した上部フレーム２１及び下部フレーム２２と概ね同様、第１側部フレーム２４及び第２側部フレーム２５の略平坦面状とされた対向面側において開口するように受入溝２４ａ，２５ａを設けた態様等としてもよい。
【００３２】
また、これら第１側部フレーム２４及び第２側部フレーム２５の反対向側となるパネル幅方向外側面には、中間縦枠１５及び第１縦枠１３の互いに向き合う対向側に設けられた凹部１５ａ，１３ａに嵌め入れられる突部２４ｂ，２５ｂがそれぞれに設けられている。
第１側部フレーム２４の突部２４ｂは、中間縦枠１５の透光壁パネル２０側に設けられた凹部１５ａに嵌め入れられる。この突部２４ｂは、第１側部フレーム２４の中間縦枠１５側に向くパネル幅方向外側面からパネル幅方向外側に向けて突出するように設けられている。
第２側部フレーム２５の突部２５ｂは、第１縦枠１３の反枠下地側となる内側面側に設けられた凹部１３ａに嵌め入れられる。この突部２５ｂは、第２側部フレーム２５の第１縦枠１３側に向くパネル幅方向外側面からパネル幅方向外側に向けて突出するように設けられている。
【００３３】
これら突部２４ｂ，２５ｂは、本実施形態では、第１側部フレーム２４及び第２側部フレーム２５のそれぞれの全長に亘って延びるように設けられている。これら突部２４ｂ，２５ｂのパネル幅方向に沿う突出寸法及びパネル厚さ方向に沿う幅寸法は、中間縦枠１５及び第１縦枠１３の凹部１５ａ，１３ａに嵌入可能なように適宜の寸法とすればよい。
また、これら突部２４ｂ，２５ｂは、第１側部フレーム２４及び第２側部フレーム２５のそれぞれのパネル厚さ方向略中央部に設けられている。また、これら突部２４ｂ，２５ｂは、幅寸法が突出方向先端側となるパネル幅方向外側に向かうに従い小さくなるように長手方向に見て先細り状に形成されている。
【００３４】
また、図例では、これら突部２４ｂ，２５ｂ内に長手方向に貫通するように中空部を設けた例を示している。つまり、第１側部フレーム２４及び第２側部フレーム２５の突部２４ｂ，２５ｂが設けられた部位を、中空筒状としている。なお、このような態様に代えて、上記した上部フレーム２１と略同様、これら突部２４ｂ，２５ｂを、パネル厚さ方向に間隔を空けて設けられた一対の突片部によって構成したり、中実状としたりしてもよい。
また、第１側部フレーム２４及び第２側部フレーム２５のパネル厚さ方向両側には、パネル幅方向外側に向けて開口する凹溝がそれぞれに設けられている。なお、このような態様に代えて、第１側部フレーム２４及び第２側部フレーム２５のパネル厚さ方向両側部位を中空筒状としたり、中実状としたりしてもよい。
【００３５】
また、これら第１側部フレーム２４及び第２側部フレーム２５には、これらと上部フレーム２１及び下部フレーム２２とを接合する止具の止着部２４ｃ，２５ｃが設けられている。図例では、これら第１側部フレーム２４及び第２側部フレーム２５のパネル厚さ方向両側の凹溝の溝底側部位に一部が開口した環状（開環状）の止着部２４ｃ，２４ｃ，２５ｃ，２５ｃを設けた例を示している。なお、第１側部フレーム２４及び第２側部フレーム２５と上部フレーム２１及び下部フレーム２２とを接合する止具の止着部２４ｃ，２４ｃ，２５ｃ，２５ｃとしては、図例のようなものに限られず、その他、種々の変形が可能である。また、第１側部フレーム２４及び第２側部フレーム２５と上部フレーム２１及び下部フレーム２２とは、溶接等によって接合されたものでもよく、適宜の接合部材を介して接合されたものでもよい。
【００３６】
また、本実施形態では、これら四周フレーム２１，２２，２４，２５は、金属系材料または合成樹脂系材料から形成されている。金属系材料としては、アルミニウムやステンレス等が挙げられる。また、合成樹脂系材料としては、塩化ビニル樹脂や、その他、種々の樹脂の採用が可能であり、また、ガラス繊維や炭素繊維等の強化繊維を含んだいわゆる繊維強化樹脂でもよい。
また、これら四周フレーム２１，２２，２４，２５は、押出成形等によってそれぞれ全長に亘って略一様な断面形状とされたものでもよい。
【００３７】
戸枠１０の上枠１２は、開口部４の開口幅方向に長尺状とされている。この上枠１２は、上下方向に厚さ方向を沿わせて配される帯板状とされている。
また、この上枠１２には、透光壁パネル２０の上部フレーム２１の突部２１ｂを受け入れる凹部１２ａが設けられている。この凹部１２ａは、上枠１２の下方側に向く下面（見込面）において開口するように、かつ上枠１２の長手方向に延びるように溝状に設けられている。また、溝状とされた凹部１２ａは、溝長手方向に見て略方形溝状とされている。また、図例では、この凹部１２ａを、上枠１２の見込方向（壁厚方向に沿う方向）略中央部に設けた例を示しているが、壁体３の壁厚や透光壁パネル２０を設けたい位置等に応じて、見込方向一方側に片寄った位置に設けられたものでもよい。
【００３８】
また、この凹部１２ａの溝長さ寸法は、上部フレーム２１の長さ寸法に応じた寸法とされたものでもよい。本実施形態では、凹部１２ａを、上枠１２の出入口８側の下面に取り付けられる戸当たり部材１８の取付溝としても機能するように、上枠１２の全長に亘って設けた構成としている。
また、この凹部１２ａのパネル厚さ方向に沿う溝幅寸法は、上部フレーム２１の突部２１ｂの挿入が可能なように、この突部２１ｂの壁厚方向に沿う寸法に応じた寸法とされている。また、この凹部１２ａの上下方向に沿う溝深さ寸法は、上部フレーム２１の突部２１ｂの挿入が可能なように、突部２１ｂの上下方向に沿う寸法に応じた寸法とされている。本実施形態では、透光壁パネル２０が建て付けられた状態で突部２１ｂの先端と凹部１２ａの溝底との間に隙間が形成される構成としている。この隙間は、上記同様、透光壁パネル２０を斜め状にして上部フレーム２１の突部２１ｂを上枠１２の凹部１２ａに嵌め入れて設置する際に、下部フレーム２２によって床２に凹み等が形成され難いように適宜の寸法としてもよい。
【００３９】
また、上枠１２は、両側の第１縦枠１３及び第２縦枠１４とによって三方枠１１に枠組みされた状態で、開口部４に設置される。また、上枠１２は、開口部４の下方側に向く適宜の枠下地に固定されるものでもよい。
また、三方枠１１を構成する上枠１２と両側の第１縦枠１３及び第２縦枠１４とは、止具やダボ等の接合部、接着剤等によって接合されるものでもよい。これら上枠１２と両側の第１縦枠１３及び第２縦枠１４とは、図４（ａ）に示すように、縦勝状に接合されるものでもよい。つまり、第１縦枠１３及び第２縦枠１４の上端部の互いに向き合う各内側面と上枠１２の長手方向の各端面とを当接させて接合されるものでもよい。
また、本実施形態では、図４（ｂ）に示すように、三方枠１１は、上枠１２の下面が上枠１２の見込方向両側に設けられる天井パネル６，６の下方側に向く表面と略面一状となるように設置される構成とされている。
【００４０】
両側の第１縦枠１３及び第２縦枠１４は、開口部４の開口高方向に長尺状とされている。これら第１縦枠１３及び第２縦枠１４は、図２（ａ）に示すように、床２から天井に至るように設けられる。本実施形態では、上記のように上枠１２が天井パネル６，６間に言わば埋込状に設けられるので、これら両側の第１縦枠１３と第２縦枠１４とによって言わば二方枠状の外観を呈する。
また、これら第１縦枠１３及び第２縦枠１４は、開口幅方向に厚さ方向を沿わせて配される帯板状とされている。また、これら第１縦枠１３及び第２縦枠１４は、開口部４の開口幅方向中央側に向く適宜の枠下地に固定されるものでもよい。
また、本実施形態では、図２（ｂ）に示すように、これら第１縦枠１３及び第２縦枠１４の見込方向両端部に、額縁部材１７，１７，１７，１７の係合片部を受け入れる受入溝１３ｂ，１３ｂ，１４ｂ，１４ｂを設けた構成としている。つまり、本実施形態では、これら第１縦枠１３及び第２縦枠１４を、ケーシング枠状としている。これら受入溝１３ｂ，１３ｂ，１４ｂ，１４ｂは、見込方向外側に向けて開口し、各縦枠１３，１４の長手方向に延びるように全長に亘って設けられている。
【００４１】
額縁部材１７，１７，１７，１７は、互いに同様の構成とされている。なお、これら額縁部材１７，１７，１７，１７の具体的構成の一例を、一つの額縁部材１７を例にとって説明する。
額縁部材１７は、壁厚方向に厚さ方向を沿わせて配される平板状部の壁幅方向（開口部４の開口幅方向に沿う方向）両側の各端部から壁芯に向けて突出するように係合片部及び当接片部を設けた構成とされたものでもよい。また、この額縁部材１７は、係合片部が受入溝１３ｂ，１３ｂ，１４ｂ，１４ｂに受け入れられ、当接片部が壁体３の壁面に当接されて設置されるものでもよい。また、この額縁部材１７は、止具や接着剤等によって固定されるものでもよい。
【００４２】
また、本実施形態では、この額縁部材１７を、壁幅方向に沿う見付寸法が比較的に大とされた幅広状とされたものとしている。この額縁部材１７の見付寸法は、標準的な見付寸法（例えば、３０ｍｍ前後）よりも幅広状とされたものでもよく、例えば、４０ｍｍ〜１００ｍｍ程度でもよい。
なお、額縁部材１７，１７，１７，１７は、互いに同様の構成とされたものに限られず、例えば、壁厚等に応じて、壁厚方向一方側の額縁部材１７，１７の係合片部の壁厚方向に沿う寸法が他方側よりも大とされたようなものでもよい。また、第１縦枠１３及び第２縦枠１４を、このような額縁部材１７が設けられるケーシング枠状とした態様に代えて、固定枠状とした態様としてもよい。さらには、これら第１縦枠１３及び第２縦枠１４が壁体３の壁面を構成する壁クロス（壁紙）等の化粧シートによって一連状に覆われる構成とされたものでもよい。
【００４３】
第１縦枠１３には、透光壁パネル２０の第２側部フレーム２５の突部２５ｂを受け入れる凹部１３ａが設けられている。この凹部１３ａは、第１縦枠１３の開口幅方向中央側に向く内側面（見込面）において開口するように、かつ第１縦枠１３の長手方向に延びるように溝状に設けられている。この凹部１３ａは、見込方向で上枠１２の凹部１２ａに略一致した位置となるように設けられている。また、この凹部１３ａは、第１縦枠１３の全長に亘って設けられている。
また、この凹部１３ａは、上枠１２の凹部１２ａと同様、溝長手方向に見て略方形溝状とされ、溝幅寸法及び溝深さ寸法が第２側部フレーム２５の突部２５ｂの嵌め入れが可能なように、この突部２５ｂの壁厚方向に沿う寸法及び開口幅方向に沿う寸法に応じた寸法とされている。
【００４４】
第２縦枠１４には、戸当たり部材１８の取付溝１４ａが設けられている。この取付溝１４ａは、第２縦枠１４の開口幅方向中央側に向く内側面（見込面）において開口するように、かつ第２縦枠１４の長手方向に延びるように設けられている。この取付溝１４ａは、本実施形態では、見込方向で上枠１２の凹部１２ａに略一致した位置となるように設けられている。また、この取付溝１４ａは、第２縦枠１４の全長に亘って設けられている。
また、この取付溝１４ａは、溝長手方向に見て略方形溝状とされ、戸当たり部材１８の基部の嵌め入れが可能な溝幅寸法及び溝深さ寸法とされている。本実施形態では、この取付溝１４ａの溝幅寸法及び溝深さ寸法を、上枠１２の凹部１２ａの溝幅寸法及び溝深さ寸法と略同寸法としている。
【００４５】
中間縦枠１５は、開口部４の開口高方向に長尺状とされている。この中間縦枠１５は、図２（ａ）に示すように、両側の第１縦枠１３及び第２縦枠１４と略平行状に、床２から天井に至るように設けられる。
また、この中間縦枠１５は、開口幅方向に厚さ方向を沿わせて配される帯板状とされている。この中間縦枠１５の壁厚方向に沿う見込寸法は、図２（ｂ）に示すように、第１縦枠１３及び第２縦枠１４の見込寸法よりも小とされている。図例では、中間縦枠１５を、その見込方向一方側面が第１縦枠１３及び第２縦枠１４の見込方向一方側面と略同一平面状となるように、見込方向一方側に位置させた例を示している。なお、このような態様に代えて、中間縦枠１５の見込寸法を、第１縦枠１３及び第２縦枠１４の見込寸法または壁厚寸法と略同寸法等としてもよい。
また、この中間縦枠１５の開口幅方向に沿う見付寸法は、第１縦枠１３及び第２縦枠１４の見付寸法よりも大とされている。この中間縦枠１５の見付寸法は、例えば、２０ｍｍ〜３０ｍｍ程度とされた標準的な枠部材の見付寸法よりも大としてもよく、例えば、３５ｍｍ〜６０ｍｍ程度としてもよい。
【００４６】
また、この中間縦枠１５には、透光壁パネル２０の第１側部フレーム２４の突部２４ｂを受け入れる凹部１５ａが設けられている。この凹部１５ａは、中間縦枠１５の第１縦枠１３側に向く側面（見込面）において開口するように、かつ中間縦枠１５の長手方向に延びるように溝状に設けられている。この凹部１５ａは、上記同様、見込方向で上枠１２の凹部１２ａに略一致した位置となるように設けられている。つまり、図例では、この凹部１５ａを、中間縦枠１５の見込方向他方側に片寄らせて設けた例を示している。
また、この凹部１５ａは、中間縦枠１５の全長に亘って設けられている。また、この凹部１５ａは、上記同様、溝長手方向に見て略方形溝状とされ、溝幅寸法及び溝深さ寸法が第１側部フレーム２４の突部２４ｂの嵌め入れが可能なように、この突部２４ｂの壁厚方向に沿う寸法及び開口幅方向に沿う寸法に応じた寸法とされている。
【００４７】
また、本実施形態では、この中間縦枠１５に戸当たり部材１８の取付溝１５ｂを設けた構成としている。この取付溝１５ｂは、中間縦枠１５の第２縦枠１４側に向く側面（見込面）において開口するように、かつ中間縦枠１５の長手方向に延びるように設けられている。つまり、本実施形態では、中間縦枠１５の厚さ方向両側の各見込面に、凹部１５ａ及び取付溝１５ｂを設けた構成としている。
また、この取付溝１５ｂは、見込方向で上枠１２の凹部１２ａに略一致した位置となるように設けられている。また、この取付溝１５ｂは、中間縦枠１５の全長に亘って設けられている。また、この取付溝１５ｂは、溝長手方向に見て略方形溝状とされ、戸当たり部材１８の基部の嵌め入れが可能な溝幅寸法及び溝深さ寸法とされている。本実施形態では、この取付溝１５ｂの溝幅寸法及び溝深さ寸法を、中間縦枠１５の凹部１５ａの溝幅寸法及び溝深さ寸法と略同寸法としている。
【００４８】
つまり、本実施形態では、中間縦枠１５の厚さ方向両側の各見込面に、溝幅寸法及び溝深さ寸法が互いに略同寸法とされた凹部１５ａ及び取付溝１５ｂを壁厚方向で一致する位置となるように設けた構成としている。これら凹部１５ａ及び取付溝１５ｂは、一方が戸当たり部材１８の取付溝として機能し、他方が第１側部フレーム２４の突部２４ｂの嵌込溝として機能する構成とされている。
また、本実施形態では、図６に示すように、中間縦枠１５の上端部及び下端部に、上枠１２及び床２に止着される止具９，９の挿通孔１５ｃ，１５ｃと、止具９，９を覆うように取り付けられる止具キャップ１６，１６と、を設けた構成としている。
【００４９】
挿通孔１５ｃ，１５ｃは、中間縦枠１５の一方の側面において開口するように設けられている。本実施形態では、これら上下の挿通孔１５ｃ，１５ｃを、中間縦枠１５の第２縦枠１４側に向く側面において開口するように設けた構成としている。また、これら挿通孔１５ｃ，１５ｃを、閉鎖状態の戸パネル２８の戸先側端面が対向される側となる戸当たり部材１８よりも見込方向一方側に設けた構成としている。
上端部の挿通孔１５ｃは、中間縦枠１５の一方の側面から上枠１２に向けて斜め状に止具９の止着（捩じ込み）が可能なように、斜め下方側に向けて開口するように斜め状に設けられている。下端部の挿通孔１５ｃは、中間縦枠１５の一方の側面から床２に向けて斜め状に止具９の止着（捩じ込み）が可能なように、斜め上方側に向けて開口するように斜め状に設けられている。
【００５０】
また、これら上下の挿通孔１５ｃ，１５ｃの開口周囲には、止具キャップ１６，１６を受け入れる受入凹所が設けられている。
止具キャップ１６，１６は、挿通孔１５ｃ，１５ｃに挿通された止具９，９の頭部を覆うように中間縦枠１５の上端部及び下端部に取り付けられる。これら止具キャップ１６，１６は、開口幅方向に厚さ方向を沿わせて配される薄板状とされ、中間縦枠１５の上端部及び下端部に設けられた受入凹所に嵌め入れられる。また、これら止具キャップ１６，１６は、第２縦枠１４側に向く表面が中間縦枠１５の側面と略同一平面状となるように中間縦枠１５に取り付けられるものでもよい。また、これら止具キャップ１６，１６は、粘着材や接着剤等によって取り付けられるものでもよい。なお、上下の挿通孔１５ｃ，１５ｃ及び止具キャップ１６，１６を、中間縦枠１５の厚さ方向両側のそれぞれに設けた構成としてもよい。
【００５１】
また、本実施形態では、戸枠１０を構成する三方枠１１及び中間縦枠１５を、木質系材料から形成されたものとしている。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、これら三方枠１１及び中間縦枠１５は、このような木質系材料を基材として、その表面側に突板や樹脂シート等の化粧シートが貼着された構成とされたものでもよい。なお、木質系材料から形成された三方枠１１及び中間縦枠１５としては、全体が木質系材料からなるものに限られず、大半が木質系材料から形成されたものであればよい。また、上記した額縁部材１７や戸当たり部材１８も同様な木質系材料から形成されたものでもよい。
【００５２】
次に、本実施形態に係る戸装置１の施工方法の一例について説明する。
本実施形態に係る戸装置１の施工方法は、図４（ａ）に示すように、上枠１２の両端に第１縦枠１３及び第２縦枠１４が接合された三方枠１１を開口部４に設置する工程を備えている。この三方枠１１は、上枠１２、第１縦枠１３及び第２縦枠１４に設けられた凹部１２ａ，１３ａ及び取付溝１４ａの溝底を介して枠下地に止具を止着して開口部４に固定するようにしてもよい。また、この三方枠１１は、上記のように、上枠１２の下面が上枠１２の見込方向両側に設けられる天井パネル６，６の表面と略面一状となるように設置される（図４（ｂ）参照）。
また、図４（ｂ）に示すように、上枠１２の下面と略面一状に設けられた上枠１２の見込方向両側の天井パネル６，６の表面及び上枠１２の下面に、天井面を構成する化粧シート７，７を一連状に貼着する。この化粧シート７，７は、合成樹脂シートや、壁クロス等としてもよい。なお、化粧シート７，７の貼着は、透光壁パネル２０を建て付けた後や、戸当たり部材１８を上枠１２に取り付けた後に行うようにしてもよい。また、上枠１２の見込方向両側の天井パネル６，６の上枠側端部は、上枠１２の枠下地の見込方向両側に設けられた野縁等の天井下地５，５に固定するようにしてもよい（図１参照）。また、図２（ｂ）に示すように、両側の第１縦枠１３及び第２縦枠１４に、額縁部材１７，１７，１７，１７を取り付けるようにしてもよい。
【００５３】
また、同施工方法は、上部フレーム２１の突部２１ｂを上枠１２の凹部１２ａに嵌め入れ、下部フレーム２２を床２に当接させ、第２側部フレーム２５の突部２５ｂを第１縦枠１３の凹部１３ａに嵌め入れ、透光壁パネル２０を設置する工程を備えている。
この際、図４（ｂ）に示すように、透光壁パネル２０を、下端側が上端側よりもパネル厚さ方向一方側となるように斜め状にして上部フレーム２１の突部２１ｂを上枠１２の凹部１２ａに嵌め入れ、起立させる。そして、図５（ａ）に示すように、上部フレーム２１の突部２１ｂを上枠１２の凹部１２ａに仮保持させた状態で、透光壁パネル２０を第１縦枠１３側にスライドさせるように移動させ、第２側部フレーム２５の突部２５ｂを、第１縦枠１３の凹部１３ａに嵌め入れる。これにより、透光壁パネル２０は、図５（ｂ）に示すように、上端側の上部フレーム２１が上枠１２に仮保持され、第２側部フレーム２５が第１縦枠１３に仮保持された状態となる。
【００５４】
また、同施工方法は、図５（ｂ）及び図２（ｂ）に示すように、透光壁パネル２０の第１側部フレーム２４に沿わせるように中間縦枠１５を設置する工程を備えている。この中間縦枠１５の凹部１５ａに、透光壁パネル２０の第１側部フレーム２４の突部２４ｂを嵌め入れるようにして中間縦枠１５を設置する。この状態では、中間縦枠１５の側部が透光壁パネル２０の第１側部フレーム２４に当接され、中間縦枠１５の下端が床２に当接され、中間縦枠１５の上端が上枠１２に当接または近接される。なお、上枠１２に、中間縦枠１５の上端部または上端部に設けられた突片部を受け入れる凹所を設けた構成としてもよい。
そして、図６に示すように、中間縦枠１５の上端部を上枠１２に固定し、中間縦枠１５の下端部を床２に固定する。この際、上記した中間縦枠１５の上下の挿通孔１５ｃ，１５ｃを介して止具９，９を上枠１２及び床２のそれぞれに止着する。また、これら上下の挿通孔１５ｃ，１５ｃに挿通された止具９，９の頭部を覆うように止具キャップ１６，１６を取り付ける。
【００５５】
なお、中間縦枠１５の長手方向途中部位を、止具によって透光壁パネル２０の第１側部フレーム２４に固定するようにしてもよい。この場合、中間縦枠１５の取付溝１５ｂの溝底に止具を止着するようにしてもよい。
また、図１に示すように、透光壁パネル２０の下部フレーム２２を、止着部２２ｂを介して床２に止着させた止具９によって床２に固定する。また、下部フレーム２２の頭部収容凹所２２ｃの凹所開口２２ｄにカバー２３を取り付ける。なお、透光壁パネル２０の下部フレーム２２に代えて、または加えて、他のフレーム２１，２４，２５のうちの少なくとも一つを、当接対象（上枠、第１縦枠及び中間縦枠）１２，１３，１５に対して止具によって固定するようにしてもよい。
上記のような構成により、開口部４に設置された三方枠１１内の開口幅方向一方側には透光壁パネル２０が設置され、三方枠１１内の開口幅方向他方側には戸パネル２８によって開閉される出入口８が区画形成される。
【００５６】
また、同施工方法は、中間縦枠１５の反透光壁パネル側の上枠１２と床２との間に戸パネル２８を建て付ける工程を備えている。この戸パネル２８は、上記のように、回転連結部材１９，１９を介して第２縦枠１４に対して上下方向に沿う軸回りに回転自在に支持される。なお、第２縦枠１４に対して戸パネル２８を支持させる態様に代えて、中間縦枠１５に対して戸パネル２８を支持させる態様としてもよい。つまり、戸パネル２８の吊元側を中間縦枠１５側とし、戸パネル２８の戸先側を第２縦枠１４側として戸パネル２８を建て付けるようにしてもよい。また、第２縦枠１４及び中間縦枠１５のうちのいずれか一方に戸パネル２８を支持させる態様に代えて、上枠１２及び床２に戸パネル２８を支持させる態様等としてもよい。この場合は、回転連結部材１９，１９を適宜、変形するようにすればよい。また、戸パネル２８を建て付ける前に、戸当たり部材１８，１８を上枠１２、第２縦枠１４及び中間縦枠１５に取り付けるようにしてもよい。また、二枚の戸パネル２８を両開き状に設けた構成としてもよい。
【００５７】
上記のように施工された戸装置取付構造は、図１及び図２に示すように、開口部４に設置された三方枠１１内の中間縦枠１５の一方側に透光壁パネル２０が設置され、中間縦枠１５の他方側に戸パネル２８が設置された状態となる。また、これら透光壁パネル２０及び戸パネル２８が床２から天井面に概ね至るように設けられた状態となる。また、略面一状とされた上枠１２の下面及びその見込方向両側の天井パネル６，６の表面に、一連状に化粧シート７，７が貼着された状態となる。このような構造とすれば、上枠１２が目立ち難くなり、また、戸パネル２８及び透光壁パネル２０が床２から天井に略至る高さとなり、上枠１２の上方側に垂れ壁等を設けたものと比べて、縦方向に長尺状のすっきりとした外観を呈することができる。なお、このような態様に代えて、上枠１２の上方側に垂れ壁状の壁部を設けた構造等としてもよい。
また、上記施工手順は、一例に過ぎず、各部材の機能を阻害しない限りにおいて別手順で行うようにしてもよく、その他、種々の変形が可能である。
【００５８】
本実施形態に係る戸装置１は、上述のような構成としたことで、また、本実施形態に係る戸装置１の施工方法によれば、施工された戸パネル２８及び透光壁パネル２０の下方側の見栄えの向上が可能でありながらも、施工性を向上させることができる。
つまり、戸パネル２８と、閉鎖位置の戸パネル２８の側方に配される透光壁パネル２０と、を備えた構成としている。従って、戸パネル２８の側方における採光性や空間演出性を向上させることができる。また、透光壁パネル２０が下部フレーム２２を床２に当接させて設置され、戸パネル２８が上枠１２と床２との間に設置される構成とされている。従って、透光壁パネル２０を下枠に固定したり、戸パネル２８の下方側に下枠が設けられるものと比べて、戸パネル２８及び透光壁パネル２０の下方側の見栄えを向上させることができる。
【００５９】
また、開口部４に設置される三方枠１１の上枠１２の凹部１２ａに透光壁パネル２０の上部フレーム２１の突部２１ｂを嵌め入れて透光壁パネル２０を仮保持させて設置することができ、透光壁パネル２０の施工性を向上させることができる。
また、三方枠１１の一方の縦枠（第１縦枠）１３の凹部１３ａに透光壁パネル２０の第２側部フレーム２５の突部２５ｂを嵌め入れて透光壁パネル２０を設置することができ、透光壁パネル２０の施工性を向上させることができる。
また、中間縦枠１５の凹部１５ａに透光壁パネル２０の第１側部フレーム２４の突部２４ｂを嵌め入れて中間縦枠１５を設置することができ、中間縦枠１５の施工性を向上させることができる。
【００６０】
また、開口部４に設置された三方枠１１に透光壁パネル２０が設置され、この透光壁パネル２０の第１側部フレーム２４に沿わせるように中間縦枠１５が設置される。従って、例えば、中間縦枠１５が固定された四方枠に対して透光壁パネル２０を固定するようなものと比べて、透光壁パネル２０の施工性を向上させることができる。つまり、中間縦枠１５を固定した状態では、中間縦枠１５近傍において透光壁パネル２０の第１側部フレーム２４を把持し難くなる。一方、上記構成によれば、透光壁パネル２０の両側部を把持して上枠１２と床２との間に透光壁パネル２０を起立させた状態とし、この透光壁パネル２０を第１縦枠１３側にスライドさせて設置した後に中間縦枠１５を設置することができる。
【００６１】
また、本実施形態では、透光壁パネル２０の上部フレーム２１を、当該透光壁パネル２０のパネル幅方向の略全体に亘って設け、かつ突部２１ｂを全長に亘って延びるように設けた構成としている。つまり、上記のように、透光壁パネル２０の上部フレーム２１と両側の側部フレーム２４，２５とが横勝ち状に接合された構成となる。これにより、例えば、透光壁パネル２０の上部フレーム２１と両側の側部フレーム２４，２５とを縦勝ち状に接合したものと比べて、透光壁パネル２０の上面側に段差が形成され難くなり、透光壁パネル２０と上枠１２との間に形成される隙間が不均一になるようなことを抑制することができる。なお、このような態様に代えて、上部フレーム２１と両側の側部フレーム２４，２５とを縦勝ち状に接合した態様等としてもよい。
【００６２】
また、本実施形態では、透光壁パネル２０の下部フレーム２２に、床２に止着される止具９の止着部２２ｂを設けた構成としている。従って、透光壁パネル２０の下端部を、床２に対して止具９によって強固に固定することができる。また、下部フレーム２２に、止着部２２ｂに止着された止具９の頭部を収容する頭部収容凹所２２ｃと、頭部収容凹所２２ｃの凹所開口２２ｄを覆うカバー２３と、を設けた構成としている。従って、下部フレーム２２に止着された止具９を目立ち難くすることができる。なお、このような態様に代えて、下部フレーム２２に、このような頭部収容凹所２２ｃやカバー２３を設けていない態様等としてもよい。
【００６３】
また、本実施形態では、中間縦枠１５の壁幅方向両側に、互いに略同寸同形状とされ、一方が第１側部フレーム２４の突部２４ｂの嵌込溝とされ、他方が戸当たり部材１８の取付溝とされる凹部１５ａ及び取付溝１５ｂを壁厚方向で一致する位置となるように設けた構成としている。従って、中間縦枠１５のいずれ側にも透光壁パネル２０及び戸パネル２８を設置することができる。なお、このような態様に代えて、凹部１５ａと取付溝１５ｂとが異なる形状等とされたものとしてもよい。
【００６４】
また、本実施形態では、中間縦枠１５及び三方枠１１を木質系材料から形成されたものとし、透光壁パネル２０の四周のフレーム２１，２２，２４，２５を金属系材料または合成樹脂系材料から形成されたものとしている。従って、透光板２６の四周を囲むフレーム２１，２２，２４，２５の強度の確保が可能でありながらも、透光壁パネル２０の周囲を木質感のあるものにすることができ、建物内の間仕切壁の開口部４に設置される内装用として好適なものとなる。
【００６５】
また、本実施形態では、中間縦枠１５の上端部及び下端部に、上枠１２及び床２に止着される止具９，９の挿通孔１５ｃ，１５ｃと、止具９，９を覆うように取り付けられる止具キャップ１６，１６と、を設けた構成としている。従って、中間縦枠１５の上端部及び下端部を上枠１２及び床２に対して固定する止具９，９を見栄え良く納めることができる。なお、このような止具キャップ１６，１６を設けた態様に代えて、中間縦枠１５の取付溝１５ｂの溝底に挿通孔１５ｃ，１５ｃを設けた態様等としてもよい。これによれば、戸当たり部材１８によって止具９，９を覆うこともできる。
【００６６】
なお、本実施形態では、戸装置１を、開き戸を構成する戸パネル２８を備えた構成とした例を示しているが、二枚の戸体を折畳及び展開自在に連結した折戸を構成する戸パネル２８を備えた構成としてもよい。または、戸装置１を、片引き状に配される一枚の戸パネル２８を備えた構成としたり、引き違い状に配される複数枚の戸パネル２８を備えた構成としたりしてもよい。また、戸装置１を、両引き状（引き分け状）に配される複数枚の戸パネル２８を備えた構成としてもよい。この場合は、第２縦枠１４側にも透光壁パネル２０及び中間縦枠１５を設けた構成としてもよい。つまり、三方枠１１の開口幅方向両側に袖壁として配される透光壁パネル２０を備えた構成としてもよい。
本実施形態に係る戸装置１の各部の具体的な構成は、上記したような構成に限られず、その他、種々の変形が可能である。
【符号の説明】
【００６７】
１      戸装置
１１    三方枠
１２    上枠
１２ａ  凹部
１３    第１縦枠（一方の縦枠）
１３ａ  凹部
１４    第２縦枠（縦枠）
１５    中間縦枠
１５ａ  凹部
２０    透光壁パネル
２１    上部フレーム
２１ｂ  突部
２２    下部フレーム
２２ｂ  止着部
２２ｃ  頭部収容凹所
２２ｄ  凹所開口（頭部収容凹所の開口）
２３    カバー
２４    第１側部フレーム
２４ｂ  突部
２５    第２側部フレーム
２５ｂ  突部
２６    透光板
２８    戸パネル
２      床
４      開口部
９      止具
【図１】
2018123509.tif 000003
【図２】
2018123509.tif 000004
【図３】
2018123509.tif 000005
【図４】
2018123509.tif 000006
【図５】
2018123509.tif 000007
【図６】
2018123509.tif 000008